(57)【要約】【課題】靴の履き心地を保ち、機能性物質に基づく暖気又は冷気を効率的に足裏に送り、春季又は秋季に機能性物質を空洞に入れない場合に靴底として利用できるだけの強度を保つ靴底を提供すること。【解決手段】足裏に接する内面と地面に接する外面との間に設けられた収容空洞と、収容空洞と靴底外部とを結ぶ出入口と、出入口を密封する密封材とを備え、収容空洞内の空気を外部に漏らさない。収容空洞の外縁部を非直線形状として、せん断力に対する強度を保ち、靴底のクッション性を持たせる。【選択図】図２
2014144199.tif 000002
【特許請求の範囲】
【請求項１】
足裏に接する内面と地面に接する外面との間に設けられた収容空洞と、
前記収容空洞と靴底外部とを結ぶ出入口と、
前記出入口を密封する密封材とを備え、
前記収容空洞は、中央直方体部に外縁部が付された形状であり、
前記中央直方体部は、その１面が前記出入口の収容空洞側の端面を含み、靴底の前後方向（爪先から踵への方向）の辺が最長辺であり、前記最長辺の長さが１００ｍｍ以上であり、その高さが１０ｍｍ以上である、ものであり、
前記中央直方体部の高さ方向中央の断面において、前記外縁部の周縁のうち前記最長辺の側方部分において前記中央直方体部に接しない部分の形状（外縁断面形状）は、その長さが前記最長辺の長さの１．１倍以上である
ことを特徴とする、靴底。
【請求項２】
前記外縁断面形状は、なめらかな曲線である
ことを特徴とする、請求項１に記載の靴底。
【請求項３】
前記出入口が、靴底の踵部分に設けられている
ことを特徴とする、請求項１又は２に記載の靴底。
【請求項４】
前記内面と前記収容空洞との間の内側部に通気孔を備える
ことを特徴とする、請求項１〜３のいずれか１項に記載の靴底。
【請求項５】
前記内側部が通気孔素材によるものであり、
前記外面と前記収容空洞との間の外側部が非通気性素材によるものである
ことを特徴とする、請求項１〜４のいずれか１項に記載の靴底。
【請求項６】
前記内側部の熱伝導率が前記外側部の熱伝導率よりも高い
ことを特徴とする、請求項１〜５のいずれか１項に記載の靴底。
【発明の詳細な説明】
【技術分野】
【０００１】
本発明は、靴底に関するものである。
【背景技術】
【０００２】
夏季における足の蒸れや、冬季における足の冷えに対応するため、保冷剤や使い捨てカイロ等の機能性物質を靴の中に入れることが知られている。
機能性物質を入れる場所（空洞）を確保するための靴底の構造が、特許文献１及び特許文献２に開示されている。
【０００３】
しかし、特許文献１及び特許文献２に開示されたものは、以下の問題があった。
特許文献１に開示されたものは、機能性物質を出し入れするための蓋（着脱可能な部品）が足裏に接する箇所に設けられている。このため、靴底の足裏に接する部分全体としての形状に制約があり、靴の履き心地が損なわれてしまう。
特許文献２に開示されたものは、面ファスナ等によって機能性物質を出し入れするための口の開閉を行うものであり、その部分から暖気や冷気が逃げてしまう。
特許文献１及び特許文献２に開示されたもののいずれも、機能性物質を入れる空洞が靴底の過半にわたる場合には、その部分に体重がかかることによって靴底に発生する変形が考慮されていない。特に、春季又は秋季に機能性物質を空洞に入れない場合に、靴底として利用できるか否かは明らかでない。
【０００４】
また、機能性物質と足裏との間の熱の移動は、靴底の熱伝導によるものと空洞と靴内部との通気によるものがある。しかし、特許文献１及び特許文献２に開示されたものは、通気による熱の移動が考慮されていない。特に特許文献２に開示されたものは、機能性物質と靴外部との通気を行うものであり、上述のとおり暖気や冷気が逃げてしまうので、機能性物質の効果を無駄にしている。
更に、機能性物質が除湿剤や消臭剤である場合には、その効果を得るために空洞と靴内部との通気が必須である。特許文献１及び特許文献２に開示されたものは、空洞と靴内部との通気が実現されていない。
【０００５】
以上のとおり、機能性物質を入れる場所（空洞）を確保するための構造を持つ靴底であって、靴の履き心地を保ち、機能性物質に基づく暖気又は冷気を効率的に足裏に送り、春季又は秋季に機能性物質を空洞に入れない場合に靴底として利用できるだけの強度を保つようなものは、知られていなかった。
本発明は、かかる靴底を提供するものである。
【先行技術文献】
【特許文献】
【０００６】
【特許文献１】特開２００６−２３０８２９号公報
【特許文献２】特開２００９−０１１４５２号公報
【発明の概要】
【発明が解決しようとする課題】
【０００７】
解決しようとする課題は、靴の履き心地を保ち、機能性物質に基づく暖気又は冷気を効率的に足裏に送り、春季又は秋季に機能性物質を空洞に入れない場合に靴底として利用できるだけの強度を保つ靴底を提供することである。
【課題を解決するための手段】
【０００８】
本発明の靴底は、
足裏に接する内面と地面に接する外面との間に設けられた収容空洞と、
前記収容空洞と靴底外部とを結ぶ出入口と、
前記出入口を密封する密封材とを備え、
前記収容空洞は、中央直方体部に外縁部が付された形状であり、
前記中央直方体部は、その１面が前記出入口の収容空洞側の端面を含み、靴底の前後方向（爪先から踵への方向）の辺が最長辺であり、前記最長辺の長さが１００ｍｍ以上であり、その高さが１０ｍｍ以上である、ものであり、
前記中央直方体部の高さ方向中央の断面において、前記外縁部の周縁のうち前記最長辺の側方部分において前記中央直方体部に接しない部分の形状（外縁断面形状）は、その長さが前記最長辺の長さの１．１倍以上である
ことを特徴とする。
【０００９】
カイロ、保冷剤、除湿剤、消臭剤等の機能性物質を、出入口から収容空洞に挿入し、密封材によって収容空洞に封入する。密封材は出入口と靴外部との空気を遮断する。密封材によって、収容空洞内の空気が出入口から靴外部に出ることがなくなる。機能性物質がカイロ、保冷剤、その他温度を調整するものである場合には、機能性物質によって暖められた又は冷やされた空気が靴底の外に出てしまうことがない。機能性物質の発熱又は吸熱の効果を効率的に活用することができる。
靴底の外側から見て、出入口の奥には中央直方体部が存在する。収容空洞の形状が機能性物質の出し入れの支障にならないようになっている。
中央直方体部には、１０ｍｍ以上の厚みがある。凍結した保冷材等の硬くて大きな機能性物質も収容空洞に入れることができる。
中央直方体部の靴底の前後方向の長さは、１００ｍｍ以上である。足の指先から踵までに機能性物質の効果をもたらすための設計である。
なお、中央直方体部と出入口とは、図１に示すように全体として１つの四角柱の形状となる。中央直方体部と出入口との境界は、外縁部が全く付されていない部分を出入口、一部にでも外縁部が付されている部分を中央直方体部として定める。（図２参照）
外縁断面形状は、直線状でなく直線に対して１．３倍以上の長さを持つ形状である。体重による圧力に基づいて外縁部分にかかるせん断力を、直線状の場合よりも緩和する。春季又は秋季に機能性物質を空洞に入れない場合に靴底として利用できるだけの強度を保つものである。なお、せん断力が緩和されることにより、靴底から足裏への反発力が発生しやすく、靴底がクッション性を感じるものとなる。
【００１０】
本発明の靴底は、
前記外縁断面形状は、なめらかな曲線である
ことを特徴とする。
【００１１】
外縁部分にかかるせん断力は、外縁断面形状（またはその一部）が直線状である場合に、その直線部分において大きくなる。外縁断面形状をなめらかな曲線として、直線部分を持たせないこととして、せん断力を有効に緩和するものである。
【００１２】
本発明の靴底は、
前記出入口が、靴底の踵部分に設けられている
ことを特徴とする。
【００１３】
出入口は、爪先部分に設けることも踵部分に設けることもできる。靴底の中には爪先部分が薄いものもあり、踵部分に設けることが好ましい。
【００１４】
本発明の靴底は、
前記内面と前記収容空洞との間の内側部に通気孔を備える
ことを特徴とする。
【００１５】
収容空洞と靴内部との間の通気を保ち、機能性物質によって暖められた又は冷やされた空気を靴内部に送る。靴底の熱伝導によらずとも、機能性物質の効果を活用することができる。
また、機能性物質が除湿剤や消臭剤である場合には、機能性物質に触れた空気を靴内部に送ることが必須である。
【００１６】
本発明の靴底は、
前記内側部が通気孔素材によるものであり、
前記外面と前記収容空洞との間の外側部が非通気性素材によるものである
ことを特徴とする。
【００１７】
通気孔でなく、素材自身の通気性によっても、同様の効果を得ることができる。ここで、「通気性素材」とは、通気性を有する繊維又は皮革を言う。
なお、収容空洞内の空気を靴の内部に送り、外部に送らないため、外側部が非通気性素材であることが好ましい。
【００１８】
本発明の靴底は、
前記内側部の熱伝導率が前記外側部の熱伝導率よりも高い
ことを特徴とする。
【００１９】
機能性物質がカイロ、保冷剤、その他温度を調整するものである場合には、通気の他に熱伝導による効果もある。熱伝導についても、内側部が外側部よりも効率が高いことが好ましい。
【発明の効果】
【００２０】
本発明の靴底は、靴の履き心地を保ち、機能性物質に基づく暖気又は冷気を効率的に足裏に送り、春季又は秋季に機能性物質を空洞に入れない場合に靴底として利用できるだけの強度を保つ。
【図面の簡単な説明】
【００２１】
【図１】図１は、靴底の概要を示す図である。（実施例１）
【図２】図２は、収容空洞の構造を示す断面図である。（実施例１）
【図３】図３は、熱伝導の効率を説明する断面図である。（実施例１）
【図４】図４は、収容空洞の構造を示す断面図である。（実施例２）
【発明を実施するための形態】
【００２２】
以下、本発明の実施例を示す。なお、実施例は好ましい実施形態を例示するものであり、本発明の技術的範囲は実施例に限定されない。
【実施例１】
【００２３】
図１は、靴底の概要を示す図である。靴底１には収容空洞が、出入口２３及び密封材４が設けられている。
なお、図においては、見やすさを重視し、図の上下方向（靴底の厚み）を拡大して示し、収容空洞のうち中央直方体部以外の部分を省略した。（図には、収容空洞の中央直方体部２１を示してある。）
中央直方体部２１の最長辺は靴底の前後方向の辺であり、その長さｄは１５０ｍｍである。中央直方体部２１の高さｈは１２ｍｍである。足の指先から踵までに機能性物質の効果をもたらすためにｄが１００ｍｍ以上であり、凍結した保冷材等の硬くて大きな機能性物質も収容空洞に入れることができるためにはｈが１０ｍｍ以上であることが好ましく、本実施例では、ｄ＝１５０ｍｍ、ｈ＝１２ｍｍとした。
密封材４は、出入口の端部に係合するゴム製の蓋である。収容空洞内の空気が出入口３から靴外部に出ることがない。なお、ゴム製の他に、プラスチック製や合成樹脂製のものも使用し得る。
【００２４】
図２は、収容空洞の構造を示す断面図である。図１におけるＡ線で切断したものである。
収容空洞２は、中央直方体部２１及び外縁部２２を有する。
外縁部２２の周縁のうち中央直方体部２１の最長辺の側方部分において中央直方体部２１に接しない部分の形状である外縁断面形状３は、図において３１及び３２で示した２点間の波型の形状である。
かかる波型の形状によって、体重による圧力に基づいてかかるせん断力を緩和する。
【００２５】
図３は、熱伝導の効率を説明する断面図である。図１におけるＢ線で切断したものである。
収容空洞２の上部の内側部５は、通気性を持った皮革製であり、通気孔５１が設けられている。収容空洞２の下部の外側部６は、通気性を持たないゴム製であり、また、熱伝導率が内側部５よりも低い。一般に、皮革とゴムとは、熱伝導率がほぼ等しいものであるが、皮革の中で熱伝導率の高いものを用い、ゴムの中で熱伝導率の低いものを用いることで、内側部５よりも外側部６の熱伝導率が低くなる。
通気孔５１、及び内側部５と外側部６との熱伝導率の差によって、機能性物質がカイロ、保冷剤、その他温度を調整するものである場合に靴内の温度を効率的に調整できる。また、機能性物質が除湿剤や消臭剤である場合には、通気孔５１によって機能性物質に触れた空気を靴内部に送る。
なお、通気孔５１は、図に示した靴の中心線以外に箇所にも設けられている。特に、外縁部２２の上に通気孔が設けられ、中心直方体部２１の断面よりも広い面積で機能性物質の効果を足裏にもたらす。
【実施例２】
【００２６】
本実施例は、実施例１と比して、外縁断面形状３が相違するものである。他の部分については実施例１と同様であり、説明を省略する。
【００２７】
図４は、収容空洞の構造を示す断面図である。外縁断面形状３は、波状でなく、間隔を空けて設けられた長方形の突起を多数有する形状である体重による圧力に基づいてかかるせん断力は、各々の長方形の突起に分割され、外縁部２２の周縁全体には及ばない。
また、靴底のうち長方形の突起の間にある部分２２ａには、上下方向の圧力を吸収する弾性材を用いる。これにより、圧力、せん断力が緩和される。
【産業上の利用可能性】
【００２８】
靴の履き心地を保ち、機能性物質に基づく暖気又は冷気を効率的に足裏に送り、春季又は秋季に機能性物質を空洞に入れない場合に靴底として利用できるだけの強度を保つ靴底であり、多くの個人及び靴製造業者による利用が期待される。
【符号の説明】
【００２９】
１    靴底
２    収容空洞
２１  中央直方体部
２２  外縁部
２３  出入口
３    外縁断面形状
４    密封材
５    内側部
５１  通気孔
６    外側部
【図１】
2014144199.tif 000003
【図２】
2014144199.tif 000004
【図３】
2014144199.tif 000005
【図４】
2014144199.tif 000006